(57)【特許請求の範囲】
【請求項１】
地盤の表面に敷設される防蟻・防草シートであって、
上層及び下層を備え、
上層が遮光性及び親水性が付与された不織布を含み、
下層が防蟻機能が付与された不織布を含むことを特徴とする防蟻・防草シート。
【請求項２】
請求項１に記載の防蟻・防草シートであって、
上記下層が防蟻薬剤を含有することにより防蟻機能が付与されていることを特徴とする防蟻・防草シート。
【請求項３】
請求項１に記載の防蟻・防草シートであって、
上記下層がガラス繊維製の不織布であることにより防蟻機能が付与されていることを特徴とする防蟻・防草シート。
【請求項４】
請求項１から３のいずれか１項に記載の防蟻・防草シートであって、
上記上層と下層とがニードルパンチ又は接着層により結合されていることを特徴とする防蟻・防草シート。
【請求項５】
建物の防蟻構造であって、
建物を支持する基礎と、
上記基礎の屋外側の地盤の表面に敷設された請求項１から４のいずれか１項に記載の防蟻・防草シートとを備え、
上記防蟻・防草シートが上記基礎の屋外側の面に当接又は所定の範囲内で近接するように敷設されていることを特徴とする建物の防蟻構造。
【請求項６】
請求項５に記載の建物の防蟻構造であって、
上記基礎の屋外側の面に沿って配設されたデッキ材と、
上記デッキ材を下から支持するためにデッキ材と地盤との間に設けられた複数の支持脚とをさらに備え、
上記デッキ材により覆われている領域の地盤の表面に上記防蟻・防草シートが敷設されていることを特徴とする建物の防蟻構造。
【請求項７】
請求項５又は６に記載の建物の防蟻構造であって、
上記防蟻・防草シートの周縁部に取り付けられ、防蟻・防草シートよりも剛性の高い補強部材と、
上記補強部材を地盤に固定する固定部材とをさらに備えていることを特徴とする建物の防蟻構造。
【請求項８】
請求項５から７のいずれか１項に記載の建物の防蟻構造であって、
上記防蟻・防草シートと基礎との境界部に防蟻薬剤を含有するコーキング材が供給されていることを特徴とする建物の防蟻構造。
【発明の詳細な説明】
【技術分野】
【０００１】
本発明は、建物へのシロアリの侵入を防ぐための防蟻・防草シート及び建物の防蟻構造に関する。
【背景技術】
【０００２】
従来、戸建住宅等の建物へのシロアリの侵入を防ぐため、建物を支持する基礎で囲まれる床下の地盤の表面を防蟻シートで覆う床下防蟻構造が知られている。一方、ガーデンデッキやガーデンテーブルあるいは物置等の屋外構造物が建物に近接して設置されていると、これらの屋外構造物や屋外構造物で日陰になった基礎の屋外側の面（外面）をシロアリが這い上がって建物に侵入するおそれがある。そのため、床下防蟻構造とは別に、基礎より外の建物の周囲の屋外用の防蟻シート及び防蟻構造が必要となる。
【０００３】
例えば、特許文献１には、綿繊維又は木質性繊維のような有機性繊維のみからなる厚さ０．１〜１ｍｍの不織布に防虫・防菌層が形成された土壌被覆シートが開示され、特許文献２には、綿とキュプラを素材とした糸を用いて編成したニット製布の裏面に害虫を忌避する機能を有する木酢液の塗布層が設けられた防草シートが開示され、特許文献３には、防虫剤を練り込み、付着、あるいは樹脂加工した繊維を使用した不織布を含む繊維構造体で構成される防草シートが開示されている。特許文献４には、低密度ポリエチレン、高密度ポリエチレン、ポリプロピレン、エチレン酢酸ビニル、エチレンアクリル酸メチル等のポリマー材料からなり、上層と下層の２層を含み、上層及び下層に、有機りん系殺虫剤、ネオニコチノイド系殺虫剤、ピレスロイド系殺虫剤等を含有する有害生物防除シートが開示されている。
【先行技術文献】
【特許文献】
【０００４】
【特許文献１】特開平１０−９４３３６号公報
【特許文献２】実用新案登録第３１５２６２６号公報
【特許文献３】特許第３００６４２８号公報
【特許文献４】特表２００４−５１３８９６号公報
【発明の概要】
【発明が解決しようとする課題】
【０００５】
特許文献１〜４に開示されるシートは、いずれも、屋外で用いられるものではあるが、それぞれ、農業用畝を被覆したり、道路の中央分離帯に敷設されたり、あるいは農業・園芸・庭園用に土壌を覆うものであって、ガーデンデッキ等の屋外構造物が設置されたり、人が頻繁に通行するような建物の周囲に用いられるものではない。
【０００６】
また、屋外は床下とは異なり日光が当たるので、雑草が生育する。もし防蟻シートを敷設した地盤から雑草が伸びて防蟻シートを貫通すると、貫通部分からシロアリが這い出してくる。
【０００７】
また、屋外は床下とは異なり雨水がかかるので、水はけの良いことが要求される。さもないと、雨天時に防蟻シートが冠水したり、防蟻シートの上に水溜りが残って小動物が湧いたりする。
【０００８】
そこで、本発明は、建物の周囲の屋外の使用に適した防蟻・防草シート及び建物の防蟻構造の提供を目的とする。
【課題を解決するための手段】
【０００９】
上記課題を解決するためのものとして、本発明は、地盤の表面に敷設される防蟻・防草シートであって、上層及び下層を備え、上層が遮光性及び親水性が付与された不織布を含み、下層が防蟻機能が付与された不織布を含むことを特徴とする防蟻・防草シートである。
【００１０】
本発明によれば、防蟻・防草シートの上層及び下層の双方が繊維間の隙間が小さい（狭い）不織布で形成されているので、この防蟻・防草シートを地盤の表面に敷設することにより、防蟻・防草シートの下側の地中にいるシロアリが防蟻・防草シートを通過して地表に出てくるのを抑制することができる。特に、防蟻・防草シートの下層に防蟻機能が付与されており、シロアリがこの下層を食い破ることが回避されるため、シロアリが防蟻・防草シートを突破して地表に出てくるのをより効果的に防止することができる。そのため、例えばガーデンデッキ等の屋外構造物が建物に近接して設置されていたとしても、その屋外構造物の下方の地盤の表面に本発明の防蟻・防草シートを敷設することにより、屋外構造物や屋外構造物で日陰になった建物の基礎の屋外側の面をシロアリが這い上がって建物に侵入するのを防止することができる。
【００１１】
その上で、本発明によれば、防蟻・防草シートの上層が光を遮るので、防蟻・防草シートの下では雑草の生育が抑制される。そのため、防蟻・防草シートを敷設した地盤から雑草が伸びて防蟻・防草シートを貫通することが抑制され、貫通部分からシロアリが地表に出てくるのを抑制することができる。また、防蟻・防草シートの上層が水となじみ易いので、水が防蟻・防草シートの上に溜まらずに上層の内部に広がって浸透する。そのため、雨天時に防蟻・防草シートが冠水したり、防蟻・防草シートの上に水溜りが残るのを抑制することができる。
【００１２】
本発明の防蟻・防草シートは、好ましくは、上記下層が防蟻薬剤を含有することにより防蟻機能が付与されている。
【００１３】
この構成によれば、防蟻・防草シートの下層に含まれる防蟻薬剤によりシロアリが忌避されるので、シロアリが防蟻・防草シートの下層を通り抜けることが防止される。これにより、防蟻・防草シートの下層が確実に防蟻機能を発揮する。
【００１４】
本発明の防蟻・防草シートは、好ましくは、上記下層がガラス繊維製の不織布であることにより防蟻機能が付与されている。
【００１５】
この構成によれば、シロアリがガラス繊維をかじって壊す（食害する）ことができないので、シロアリが防蟻・防草シートの下層を通り抜けることが防止される。これにより、防蟻・防草シートの下層が確実に防蟻機能を発揮する。
【００１６】
本発明の防蟻・防草シートは、好ましくは、上記上層と下層とがニードルパンチ又は接着層により結合されている。
【００１７】
この構成によれば、上層の不織布の繊維と下層の不織布の繊維とがニードルパンチで相互に絡み合うことにより、又は上層の不織布と下層の不織布とが接着層で相互に接合されることにより、防蟻・防草シートの上層と下層とが確実に一体化する。
【００１８】
また、上記課題を解決するためのものとして、本発明は、建物の防蟻構造であって、建物を支持する基礎と、上記基礎の屋外側の地盤の表面に敷設された上記防蟻・防草シートとを備え、上記防蟻・防草シートが上記基礎の屋外側の面に当接又は所定の範囲内で近接するように敷設されていることを特徴とする建物の防蟻構造である。
【００１９】
本発明によれば、建物の基礎の屋外側の面に当接又は近接して上記防蟻・防草シートが敷設されているので、シロアリが防蟻・防草シートを通過して地表に出てくること、ひいては防蟻・防草シートを通過したシロアリが屋外構造物や建物の基礎の屋外側の面を這い上がって建物に侵入することを防止できる。
【００２０】
本発明の防蟻構造は、好ましくは、上記基礎の屋外側の面に沿って配設されたデッキ材と、上記デッキ材を下から支持するためにデッキ材と地盤との間に設けられた複数の支持脚とをさらに備え、上記デッキ材により覆われている領域の地盤の表面に上記防蟻・防草シートが敷設されている。
【００２１】
この構成によれば、デッキ材の下側の地盤の表面に防蟻・防草シートが敷設されるので、デッキ材で日陰になった建物の基礎の屋外側の面をシロアリが這い上がって建物に侵入するような事態が回避される。また、防蟻・防草シートがデッキ材により覆われて隠されるので、見栄えを特に悪化させることなく防蟻・防草シートを敷設することができる。
【００２２】
本発明の防蟻構造は、好ましくは、上記防蟻・防草シートの周縁部に取り付けられ、防蟻・防草シートよりも剛性の高い補強部材と、上記補強部材を地盤に固定する固定部材とをさらに備えている。
【００２３】
この構成によれば、防蟻・防草シートが安定して地盤の表面に敷設される。
【００２４】
本発明の防蟻構造は、好ましくは、上記防蟻・防草シートと基礎との境界部に防蟻薬剤を含有するコーキング材が供給されている。
【００２５】
この構成によれば、防蟻・防草シートと基礎との隙間からシロアリが出てくるのを防ぐことができる。
【発明の効果】
【００２６】
本発明の防蟻・防草シート及び建物の防蟻構造は、防蟻性に加えて防草性及び透水性に優れるため、建物の周囲の屋外の使用に好適である。
【図面の簡単な説明】
【００２７】
【図１】本発明の実施形態に係る建物の防蟻構造の縦断面図である。
【図２】上記防蟻構造の斜視図である。
【図３】上記防蟻構造の要部拡大縦断面図である。
【図４】上記防蟻構造に用いられる防蟻・防草シートの構成を示す拡大縦断面図である。
【図５】本発明の他の実施形態に係る防蟻・防草シートの構成を示す拡大縦断面図である。
【発明を実施するための形態】
【００２８】
（１）構成
図１は本実施形態に係る建物の防蟻構造の縦断面図、図２は斜視図、図３は要部拡大縦断面図である。本実施形態においては、戸建住宅Ｈの周囲の屋外にガーデンデッキ１が戸建住宅Ｈに近接して設置されている。ガーデンデッキ１は、複数の支持脚１１と、枠部材１３を介して支持脚１１の上に設けられたデッキ材１２とを有する。
【００２９】
ガーデンデッキ１が設置された戸建住宅Ｈの周囲の屋外には、次のような防蟻構造が構築されている。地盤Ｇの表面に防蟻・防草シート１００が敷設されている。防蟻・防草シート１００は四角形状であり、その１つの周縁部が戸建住宅Ｈを支持する基礎Ｃに所定の範囲内で近接している（図２において右手前側に基礎Ｃがある）。すなわち、基礎Ｃの屋外側の地盤Ｇの表面に防蟻・防草シート１００が基礎Ｃの屋外側の面に所定の範囲内で近接するように敷設されている。
【００３０】
防蟻・防草シート１００の上に複数の扁平箱形状のベース部材Ｋが並べて置かれ、これらのベース部材Ｋの上にガーデンデッキ１の支持脚１１が設置されている。支持脚１１は接着剤やボルト等を用いてベース部材Ｋに固定されている。防蟻・防草シート１００の上に防蟻・防草シート１００を隠すように砂利Ｊが敷かれている（図２は砂利Ｊの図示を省略してある）。
【００３１】
ガーデンデッキ１のデッキ材１２は基礎Ｃの屋外側の面に沿って配設されている。ガーデンデッキ１の複数の支持脚１１は上記デッキ材１２を下から支持するためにデッキ材１２と地盤Ｇとの間に設けられている。そして、上記デッキ材１２により覆われている領域の地盤Ｇの表面に防蟻・防草シート１００が敷設されている。
【００３２】
図２に明らかなように、４つの長尺の補強部材１４１が地盤Ｇの表面に四角形状に組まれて配置されている（図１は補強部材１４１の図示を省略してある）。より詳しくは、ガーデンデッキ１のデッキ材１２の輪郭に沿って配置されている。
【００３３】
図３に明らかなように、補強部材１４１は断面形状が扁平なＣ字状であり、一側部にスリット状の開口を有している。補強部材１４１は樹脂の押出成型で製作されており、防蟻・防草シート１００よりも高い剛性を有している。補強部材１４１は、上記スリット状の開口に防蟻・防草シート１００の周縁部が差し込まれることにより、防蟻・防草シート１００の周縁部を補強している。すなわち、防蟻・防草シート１００の周縁部に取り付けられた４つの補強部材１４１はそれぞれ釘１４２等を用いて地盤Ｇに固定され、四角形状の防蟻・防草シート１００の各周縁部を補強している。補強部材１４１がデッキ材１２の輪郭に沿って配置されているため、防蟻・防草シート１００はデッキ材１２と略同じ面積を有し、デッキ材１２により覆われている必要最小限の領域の地盤Ｇの表面に敷設されている。
【００３４】
図３に明らかなように、最も戸建住宅Ｈ寄りの補強部材１４１は、基礎Ｃの屋外側の面に当接した状態で基礎Ｃに沿って延びている。防蟻・防草シート１００の１つの周縁部がこの補強部材１４１に差し込まれているため、防蟻・防草シート１００は基礎Ｃに当接せずに基礎Ｃに所定の範囲内、具体的には、基礎Ｃの屋外側の面に当接する上記補強部材１４１に差し込まれることが可能な範囲内で近接している。
【００３５】
図３に明らかなように、防蟻・防草シート１００と基礎Ｃとの境界部に防蟻薬剤を含有するコーキング材１５１が塗布されている。より詳しくは、基礎Ｃの屋外側の面に当接する上記補強部材１４１の上に砂利Ｊが敷かれ、その砂利Ｊの上に上記防蟻薬剤入りのコーキング材１５１が防蟻・防草シート１００と基礎Ｃとの隙間を埋めるように、具体的には、補強部材１４１と基礎Ｃとの隙間及び砂利Ｊと基礎Ｃとの隙間を埋めるように塗布されている。
【００３６】
図４は、上記防蟻構造に用いられる防蟻・防草シート１００の構成を示す拡大縦断面図である。本実施形態に係る防蟻・防草シート１００は、強度と柔軟性と透水性（親水性）とを維持しつつ、長期間に亘る耐久性（耐候性）と防蟻性（防蟻機能）とを有し、かつ防草性（遮光性）を備えており、戸建住宅Ｈの周囲の屋外の使用に適したものである。
【００３７】
防蟻・防草シート１００は上層（地盤Ｇの表面に敷設されたときに暴露される側の層）１０１と下層（地盤Ｇの表面に敷設されたときに地盤Ｇと接する側の層）１０２とを備えている。両層１０１，１０２とも繊維間の隙間が狭い不織布を基材とし、上層１０１は遮光性及び親水性が付与され、下層１０２は防蟻機能が付与されている。上層１０１と下層１０２とはニードルパンチにより相互に結合されている。
【００３８】
不織布は特に限定されない。例えば、ポリエチレンテレフタレート、ポリブチレンテレフタレート、ポリプロピレンテレフタレート、共重合ポリエステル樹脂等のポリエステル繊維の不織布が使用可能であり、特にこれらのうちではポリエチレンテレフタレート（ＰＥＴ）が好ましく、さらには繊維形態保持性の良好な長繊維不織布がより好ましい。
【００３９】
そのようなポリエステル長繊維不織布は、例えば、ポリエステル樹脂の溶融ポリマーを細いノズルから吐出し、吸引延伸し、開繊し、コンベアネットに捕集した後、熱エンボスロールで部分圧接接合することにより得ることができる（スパンボンド法）。
【００４０】
繊維の平均径は６μｍ以上が好ましい。これにより、防蟻・防草シート１００の強度が十分大きくなる。また、繊維の平均径は３０μｍ以下が好ましい。これにより、繊維間の隙間が十分狭くなり、防蟻・防草シート１００の遮光性が十分大きくなる。
【００４１】
上記スパンボンド法における部分圧接接合の面積は不織布全面積の３％以上が好ましい。これにより、防蟻・防草シート１００の剛性及び強度が十分大きくなる。また、上記部分圧接接合の面積は不織布全面積の２５％以下が好ましい。これにより、防蟻・防草シート１００の柔軟性が十分維持される。
【００４２】
防蟻・防草シート１００の目付け（ＪＩＳ  Ｌ  １９０８）は１５０ｇ／ｍ２以上が好ましい。これにより、繊維間の隙間が十分狭くなり、防蟻・防草シート１００の遮光性及び強度が十分大きくなる。また、防蟻・防草シート１００の目付けは５００ｇ／ｍ２以下が好ましい。これにより、防蟻・防草シート１００の柔軟性及び透水性が十分維持される。
【００４３】
防蟻・防草シート１００の密度（ＪＩＳ  Ｌ  １９０８）は０．２ｇ／ｃｍ３以上が好ましい。これにより、繊維間の隙間が十分狭くなり、防蟻・防草シート１００の遮光性及び強度が十分大きくなる。また、防蟻・防草シート１００の密度は１．００ｇ／ｃｍ３以下が好ましい。これにより、防蟻・防草シート１００の柔軟性及び透水性が十分維持される。
【００４４】
防蟻・防草シート１００の貫通抵抗力（ＪＩＳ  Ｌ  １０９６）は１．０ｋｇ以上が好ましい。これにより、地盤Ｇから伸びた雑草が防蟻・防草シート１００を貫通することを十分阻止することができる。なお、防蟻・防草シート１００の貫通抵抗力の上限は５．０ｋｇで十分である。
【００４５】
防蟻・防草シート１００の透水係数（ＪＩＳ  Ａ  １２１８）は１．０×１０−３ｃｍ／ｓｅｃ以上が好ましい。これにより、防蟻・防草シート１００の透水性が十分維持される。なお、防蟻・防草シート１００の透水係数の上限は１．０×１０−１ｃｍ／ｓｅｃで十分である。
【００４６】
防蟻・防草シート１００の遮光率（ＪＩＳ  Ｌ  １９１３）は９５％以上が好ましい。これにより、防蟻・防草シート１００の防草性（遮光性）が十分大きくなる。なお、防蟻・防草シート１００の遮光率の上限は１００％（つまり上限なし）が好ましい。
【００４７】
防蟻・防草シート１００の耐久性（耐候性）は１０年以上が好ましい。これにより、防蟻・防草シート１００をガーデンデッキ１が設置された戸建住宅Ｈの周囲の屋外で十分長期間に亘って使用することができる。
【００４８】
防蟻・防草シート１００の防蟻性は１０年以上が好ましい。これにより、ガーデンデッキ１やガーデンデッキ１で日陰になった基礎Ｃの屋外側の面をシロアリが這い上がって戸建住宅Ｈに侵入することを十分長期間に亘って防ぐことができる。なお、防蟻性の試験規格は、（一社）日本木材保存協会（ＪＷＰＡ）の「ＪＷＰＡＳ−ＴＳ−（１）」による。
【００４９】
加えて、防蟻・防草シート１００の厚みは０．２ｍｍ以上が好ましい。これにより、防蟻・防草シート１００の強度が十分大きくなる。そのため、防蟻・防草シート１００をガーデンデッキ１が設置された戸建住宅Ｈの周囲の屋外で十分長期間に亘って使用することができる。また、防蟻・防草シート１００の厚みは２．０ｍｍ以下が好ましい。これにより、防蟻・防草シート１００の柔軟性が十分維持される。
【００５０】
防蟻・防草シート１００の上層１０１に遮光性を付与する方法としては、例えばカーボンブラック等の遮光性に富む黒色系顔料を上記スパンボンド法における溶融ポリマーに混合しておく方法や、得られた不織布に含浸、コーティング、化学的又は物理的に吸着する方法等が挙げられる。
【００５１】
防蟻・防草シート１００の上層１０１に親水性を付与する方法としては、例えば親水加工剤を上記スパンボンド法における溶融ポリマーに混合しておく方法や、得られた不織布に含浸、コーティング、化学的又は物理的に吸着する方法等が挙げられる。
【００５２】
親水加工剤としては、例えば、ポリエステル系、ポリエチレングリコール系、ポリアルキレングライコール系、ポリエチレンテレフタレート系、ウレタンプレポリマー系、水溶性シリコーン系、カチオン系、オキシエチル系、リン酸エステル系、アルキルサルフエート系、アルキルホスフエート系等の親水加工剤が使用可能である。また、ポリエチレングリコールとポリエステルとの共重合物、アクリル酸又はメタクリル酸共重合体と架橋樹脂とによる親水加工剤、第４級アンモニウム塩型親水加工剤、ポリアルキレンオキサイド鎖型共重合親水加工剤等も使用可能であり、さらには、非イオン系、ノニオン系、脂肪酸多価アルコールエステル系、高級アルコール等の界面活性剤も使用可能である。
【００５３】
防蟻・防草シート１００の下層１０２に防蟻機能を付与する方法としては、例えば防蟻薬剤を上記スパンボンド法における溶融ポリマーに混合しておく方法や、得られた不織布に含浸、コーティング、化学的又は物理的に吸着する方法等が挙げられる。
【００５４】
防蟻薬剤としては、例えば、ピレスロイド様薬剤（シラフルオフェン、エトフェンプロックス等）、ピレスロイド系薬剤（シフルトリン、ビフェントリン、サイパーメストン、デルタメスリン、パーメスリン、ペルメスリン、アレスリン、トラロメスリン等）、カーバメイト系薬剤（プロボクスル、フェノブカルブ、セビン等）、クロルニコチル系薬剤（イミダクロプリド、アセタプリド、クロチアニシン等）、ニトロガニリン系薬剤（ジノテフラン等）、有機リン系殺虫剤（ホキシム、テトラクロクピンホス、フェニトロチオン、プロベタンホス等）、ピラゾール系薬剤（フィブロニル等）、クロルフェノール系薬剤（４−ブロモ−２，５−ジクロルフェノール（ＢＤＣＰ）等）、フェニルピロール系薬剤（クロルフェナビル等）、フィプロニル系薬剤（フィプロニル、エチプロール等）の他、ヒバ油、ウコン、カプリン酸、ヤシ油、パーム油等が使用可能である。これらのうちの１種を単独で用いてもよいし、又は２種以上を組み合わせて用いてもよい。
【００５５】
加えて、防蟻・防草シート１００の上層１０１及び下層１０２の少なくともいずれか一方に耐久性（耐候性）を付与してもよい。その方法としては、例えば耐久性（耐候性）を付与し得る物質を上記スパンボンド法における溶融ポリマーに混合しておく方法や、得られた不織布に含浸、コーティング、化学的又は物理的に吸着する方法等が挙げられる。
【００５６】
耐久性（耐候性）を付与し得る物質としては、例えば、ベンゾトリアゾール系、ベンゾフェノン系等の紫外線吸収剤や、ヒンダードアミン系、ヒンダードフェノール系、リン系等の酸化防止剤等が使用可能である。これらのうちの１種を単独で用いてもよいし、又は２種以上を組み合わせて用いてもよい。
【００５７】
防蟻・防草シート１００の上層１０１と下層１０２とは、上下に重ねた状態で、表面にバーブ（微小突起）が形成された針を突き刺して引き抜くこと（ニードルパンチ）により、両層１０１，１０２の不織布の繊維同士が絡み合って相互に結合されている。
【００５８】
（２）作用
以上のように、本実施形態に係る防蟻・防草シート１００は、地盤Ｇの表面に敷設される防蟻・防草シート１００であって、上層１０１及び下層１０２を備え、上層１０１が遮光性及び親水性が付与された不織布を含み、下層１０２が防蟻機能が付与された不織布を含んでいる。
【００５９】
また、本実施形態に係る防蟻構造は、戸建住宅Ｈの防蟻構造であって、戸建住宅Ｈを支持する基礎Ｃと、上記基礎Ｃの屋外側の地盤Ｇの表面に敷設された上記防蟻・防草シート１００とを備え、上記防蟻・防草シート１００が上記基礎Ｃの屋外側の面に所定の範囲内で近接するように敷設されている。特に、上記基礎Ｃの屋外側の面に沿って配設されたデッキ材１２と、上記デッキ材１２を下から支持するためにデッキ材１２と地盤Ｇとの間に設けられた複数の支持脚１１とが備えられ、上記デッキ材１２により覆われている領域の地盤Ｇの表面に上記防蟻・防草シート１００が敷設されている。
【００６０】
本実施形態によれば、防蟻・防草シート１００の上層１０１及び下層１０２の双方が繊維間の隙間が狭い不織布で形成されているので、この防蟻・防草シート１００を地盤Ｇの表面に敷設することにより、防蟻・防草シート１００の下側の地中にいるシロアリが防蟻・防草シート１００を通過して地表に出てくるのを抑制することができる。特に、防蟻・防草シート１００の下層１０２に防蟻機能が付与されており、シロアリがこの下層１０２を食い破ることが回避されるため、シロアリが防蟻・防草シート１００を突破して地表に出てくるのをより効果的に防止することができる。そのため、たとえガーデンデッキ１が戸建住宅Ｈに近接して設置されていても、ガーデンデッキ１の下方の地盤Ｇ（言い換えるとデッキ材１２の下側の地盤）の表面に本実施形態に係る防蟻・防草シート１００を敷設することにより、シロアリが防蟻・防草シート１００を通過して地表に出てくること、ひいては防蟻・防草シート１００を通過したシロアリがガーデンデッキ１（詳しくはその支持脚１１）を這い上がって、あるいはガーデンデッキ１（詳しくはそのデッキ材１２）で日陰になった戸建住宅Ｈの基礎Ｃの屋外側の面を這い上がって、戸建住宅Ｈに侵入することを防止できる。
【００６１】
その上で、防蟻・防草シート１００の上層１０１が光を遮るので、防蟻・防草シート１００の下では雑草の生育が抑制される。そのため、防蟻・防草シート１００を敷設した地盤Ｇから雑草が伸びて防蟻・防草シート１００を貫通することが抑制され、貫通部分からシロアリが地表に出てくるのを抑制することができる。また、防蟻・防草シート１００の上層１０１が水となじみ易いので、水が防蟻・防草シート１００の上に溜まらずに上層１０１の内部に広がって浸透する。そのため、雨天時に防蟻・防草シート１００が冠水したり、防蟻・防草シート１００の上に水溜りが残るのを抑制することができる。
【００６２】
以上により、本実施形態によれば、戸建住宅Ｈの周囲の屋外の使用に好適な防蟻・防草シート１００及び防蟻構造が提供される。
【００６３】
しかも、防蟻・防草シート１００がデッキ材１２により覆われて隠されるので、見栄えを特に悪化させることなく防蟻・防草シート１００を敷設することができる。
【００６４】
本実施形態では、防蟻・防草シート１００は、下層１０２が防蟻薬剤を含有することにより防蟻機能が付与されている。この構成によれば、防蟻・防草シート１００の下層１０２に含まれる防蟻薬剤によりシロアリが忌避されるので、シロアリが防蟻・防草シート１００の下層１０２を通り抜けることが防止される。これにより、防蟻・防草シート１００の下層１０２が確実に防蟻機能を発揮する。
【００６５】
本実施形態では、防蟻・防草シート１００は、上層１０１と下層１０２とがニードルパンチにより相互に結合されている。この構成によれば、上層１０１の不織布の繊維と下層１０２の不織布の繊維とがニードルパンチで相互に絡み合うことにより、防蟻・防草シート１００の上層１０１と下層１０２とが確実に一体化する。
【００６６】
本実施形態では、防蟻・防草シート１００の周縁部に取り付けられ、防蟻・防草シート１００よりも剛性の高い補強部材１４１と、補強部材１４１を地盤Ｇに固定する釘１４２とがさらに備えられている。この構成によれば、防蟻・防草シート１００が安定して地盤Ｇの表面に敷設される。
【００６７】
本実施形態では、防蟻・防草シート１００と基礎Ｃとの境界部に防蟻薬剤を含有するコーキング材１５１が供給されている。この構成によれば、防蟻・防草シート１００と基礎Ｃとの隙間からシロアリが出てくるのを防ぐことができる。
【００６８】
（３）変形例等
上記実施形態では、戸建住宅Ｈの周囲の屋外に設置される屋外構造物は、ガーデンデッキ１であったが、これに限らず、例えば、ガーデンテーブル、ガーデンチェア、物置等であってもよい。
【００６９】
上記実施形態では、４つの補強部材１４１が四角形状に組まれていたが、これに限らず、例えば、少なくとも最も戸建住宅Ｈ寄りの補強部材１４１を省略することにより、防蟻・防草シート１００を基礎Ｃの屋外側の面に当接させてもよい。これによっても、防蟻・防草シート１００と基礎Ｃとの隙間からシロアリが出てくるのを確実に防ぐことができる。
【００７０】
上記実施形態では、補強部材１４１がデッキ材１２の輪郭に沿って配置され、防蟻・防草シート１００はデッキ材１２により覆われる必要最小限の領域の地盤Ｇを覆っていたが、これに限らず、防蟻・防草シート１００はデッキ材１２の面積をはみ出して敷設されても構わない。
【００７１】
上記実施形態では、防蟻・防草シート１００の上に砂利Ｊが敷かれて防蟻・防草シート１００を隠していたが、必ずしも、砂利Ｊは敷く必要はない。
【００７２】
上記実施形態では、防蟻・防草シート１００は、図４に示すような構成であったが、これに代えて、図５に示すような構成であってもよい。すなわち、防蟻・防草シート２００は上層２０１と下層２０２とを備えている。両層２０１，２０２とも繊維間の隙間が狭い不織布を基材とし、上層２０１は遮光性、親水性、及び耐久性（耐候性）が付与され、下層２０２はガラス繊維製の不織布であることにより防蟻機能が付与されている。上層２０１と下層２０２とは接着層２０３により相互に結合されている。
【００７３】
この構成によれば、シロアリがガラス繊維をかじって壊す（食害する）ことができないので、シロアリが防蟻・防草シート２００の下層２０２を通り抜けることが防止される。これにより、防蟻・防草シート２００の下層２０２が確実に防蟻機能を発揮する。また、上層２０１の不織布と下層２０２の不織布とが接着層２０３で相互に接合されることにより、防蟻・防草シート２００の上層２０１と下層２０２とが確実に一体化する。
【００７４】
この場合、接着層２０３は、例えばホットメルト型接着剤が使用可能である。接着層２０３は、基本的には、防蟻薬剤を含有してもしなくてもどちらでもよい。しかし、この例では、防蟻・防草シート２００の下層２０２は防蟻薬剤を使用せずに防蟻機能が付与されているので（ノンケミタイプ）、これと同様に、接着層２０３もまたノンケミタイプ、すなわち防蟻薬剤を含有しないほうがより好ましい。
【００７５】
また、上記実施形態において、基礎Ｃの屋外側の面及びガーデンデッキ１の支持脚１１の周面の少なくともいずれか一方に庇のように外方へ張り出す蟻返しを設けてもよい。
【００７６】
また、防蟻・防草シート１００，２００において、上層１０１，２０１にも防蟻機能を付与してもよく、下層１０２，２０２にも遮光性や親水性を付与してもよい。
【００７７】
また、防蟻・防草シート１００，２００を床下防蟻構造に使用しても構わない。
【００７８】
なお、参考として、上層及び下層を備え、上層が遮光性、親水性、及び耐久性（耐候性）が付与された不織布を含み、下層が何も機能が付与されていない不織布を含み、両層を結合する接着層（例えばホットメルト型接着剤）に防蟻薬剤が含有された防蟻・防草シートも屋外用防蟻・防草シートとして提案することができる。
【００７９】
また、同じく参考として、遮光性、親水性、及び耐久性（耐候性）が付与された不織布の一層のみで構成され、下面（地盤の表面に敷設されたときに地盤と接する側の面）に防蟻薬剤を含浸させた防蟻・防草シートも屋外用防蟻・防草シートとして提案することができる。
【００８０】
上記各実施形態で記述された種々の数値や材質や形状等はあくまでも例示であり、それらに限定されないことはいうまでもない。
【符号の説明】
【００８１】
１      ガーデンデッキ
１１    支持脚
１２    デッキ材
１００，２００  防蟻・防草シート
１０１，２０１  上層
１０２，２０２  下層
１４１  補強部材
１４２  固定部材（釘）
１５１  コーキング材
２０３  接着層
Ｃ      基礎
Ｇ      地盤
Ｈ      建物（戸建住宅）
Ｊ      砂利
Ｋ      ベース部材
【図１】
0006356078.tif 000002
【図２】
0006356078.tif 000003
【図３】
0006356078.tif 000004
【図４】
0006356078.tif 000005
【図５】
0006356078.tif 000006